(57)【要約】【課題】  固定電話機にカメラを設けて、気軽に監視カメラとして使用することができる監視カメラ機能付き固定電話機を提供することを目的とする。【解決手段】  ユーザは写真撮影が行い場合に、出先から自宅へ電話網を介して監視カメラ機能付き固定電話に電話をかける。監視カメラ付き固定電話機は、留守番電話モード時に電話を着信すると、予め定めた応答メッセージを流すと同時に、ユーザが暗証番号を入力するのを待ち受ける（１００〜１１２）。ここで、暗証番号が入力されない場合には、通常の留守番電話機能が実行される（１３４）。また、ユーザが予め定めた暗証番号を入力すると、監視カメラ付き固定電話機は、各種コマンドを待ち受け、ユーザがカメラ撮影を行うためのコマンドを入力すると、子機に設けられたカメラでの撮影を実行する（１１４、１１６）。そして、撮影したことを表すメッセージを流し（１２０）、ユーザが電話を切った後に、予め設定された電話番号にダイアルアップして、予め設定されたメールアドレスに撮影画像を送信する（１２８）。【選択図】        図３
2005109793.tif 000002
【特許請求の範囲】
【請求項１】
被写体を撮影するカメラと、
前記カメラの撮影によって得られる撮影画像を送信すると共に、通話するための通信を行う通信手段と、
を有する複数の子機と、
電話回線に接続され、通話するための通信を行う電話通信手段と、
前記複数の子機の前記通信手段との通信を行うための内線通信手段と、
前記電話通信手段を介して得られる撮影指示に基づいて、前記複数の子機のうち少なくとも１つの子機の前記カメラの撮影を制御する制御手段と、
前記少なくとも１つの子機で撮影され、前記内線通信手段を介して得られる前記撮影画像を集約する集約手段と、
前記集約手段によって集約された撮影画像を予め定めたアドレスに送信する送信手段と、
を有する親機と、
からなる監視カメラ機能付き固定電話機。
【請求項２】
前記制御手段は、留守番電話機能をさらに制御し、留守番電話機能実行中に前記電話通信手段を介して撮影指示を取得し、取得した撮影指示に基づいて、前記少なくとも１つの子機の前記カメラによる撮影を制御することを特徴とする請求項１に記載の監視カメラ機能付き固定電話機。
【請求項３】
前記複数の子機は、各子機をそれぞれ識別するための識別情報を前記撮影画像に付加する付加手段をさらに備えることを特徴とする請求項１又は請求項２に記載の監視カメラ機能付き固定電話機。
【発明の詳細な説明】
【技術分野】
【０００１】
本発明は、監視カメラ機能付き固定電話機にかかり、特に、留守番機能付き固定電話機にカメラを設け、外部から遠隔操作可能な監視カメラ機能付き固定電話機に関する。
【背景技術】
【０００２】
近年では、留守番電話機能付きの固定電話機が広く普及している。留守番電話機能付きの固定電話機の留守番電話モードにおいては、外部から当該固定電話機に電話し、留守番メッセージ等が流れている間等に暗証番号等の操作があった場合に、各種機能を実施することができるものが提案されている。例えば、各種機能としては、留守番メッセージの変更、留守番メッセージ再生・消去等を外出先から遠隔操作することが可能とされている。
【０００３】
一方、特許文献１に記載に技術では、留守番電話モード中に着信を受けた場合に、着信データ中に音声以外に映像が含まれていた場合の処理に関するものが提案されている。詳細には、特許文献１に記載の技術では、電話回線を通じて映像及び音声の送受信を行う留守番電話機能を備えた電話機において、留守番メッセージ等の再生中のに映像信号があった場合に、映像信号を自動的にミュートすることが提案されている。
【０００４】
また、電話回線に接続したカメラに携帯電話等の電話番号を記憶させ、カメラに向けて発信するだけで、回線接続することなく写真撮影することが特許文献２に記載の技術で提案されている。
【０００５】
さらに、電話回線に接続されたカメラから静止画を伝送する方式に関する技術が特許文献３に記載の技術で提案されている。
【特許文献１】特許第２８４１３８９号（第３頁、第２図）
【特許文献２】特開２００１−２５８０２２号公報（第１頁、第６図）
【特許文献３】特開平８−２３７４１６号公報（第１頁、第１図）
【発明の開示】
【発明が解決しようとする課題】
【０００６】
しかしながら、従来の固定電話機では、上述の特許文献２に記載の技術のように、携帯電話等を使用して遠隔操作で撮影することは提案されているが、監視カメラとして使用することが提案されていない。監視カメラシステムを運用するためには、ある程度のインフラが必要であり、一般ユーザが外出時に自宅の監視を行うような用途で気軽に設置できるものではない、という問題がある。
【０００７】
本発明は、上記問題を解決すべく成されたもので、固定電話機にカメラを設けて、気軽に監視カメラとして使用することができる監視カメラ機能付き固定電話機を提供することを目的とする。
【課題を解決するための手段】
【０００８】
上記目的を達成するために請求項１に記載の発明は、被写体を撮影するカメラと、前記カメラの撮影によって得られる撮影画像を送信すると共に、通話するための通信を行う通信手段と、を有する複数の子機と、電話回線に接続され、通話するための通信を行う電話通信手段と、前記複数の子機の前記通信手段との通信を行うための内線通信手段と、前記電話通信手段を介して得られる撮影指示に基づいて、前記複数の子機のうち少なくとも１つの子機の前記カメラの撮影を制御する制御手段と、前記少なくとも１つの子機で撮影され、前記内線通信手段を介して得られる前記撮影画像を集約する集約手段と、前記集約手段によって集約された撮影画像を予め定めたアドレスに送信する送信手段と、を有する親機と、からなることを特徴としている。
【０００９】
請求項１に記載の発明によれば、複数の子機と親機で監視カメラ機能付き固定電話が構成されている。
【００１０】
複数の子機は、カメラによって撮影が可能とされ、通信手段では、カメラの撮影によって得られる撮影画像を送信すると共に、通話するための通信が行われる。
【００１１】
一方、親機では、電話回線に接続され、通話するための通信が行われる電話回線手段によって電話通話を行うことができる。また、複数の子機の通信手段との通信が内線通信手段によって行われる。すなわち、子機は、親機を介して内線通話や外線通話を行うことができる。そして、子機のカメラで撮影された撮影画像を子機の通信手段及び親機の内線通信手段を介して親機に送信することができる。
【００１２】
また、制御手段では、電話通信手段を介して得られる撮影指示に基づいて、複数の子機のうち少なくとも１つの子機のカメラの撮影の制御が行われる。例えば、制御手段は、請求項２に記載の発明のように、留守番電話機能実行中に電話通信手段を介して撮影指示を取得して、取得した撮影指示に基づいて、少なくとも１つの子機のカメラによる撮影を制御する。これによって、外出先から複数の子機のカメラの撮影を指示することができ、子機のカメラを監視カメラとして使用することができる。
【００１３】
また、親機では、集約手段によって子機のカメラの撮影で得られる撮影画像が集約され、送信手段によって予め定めたアドレスに送信される。例えば、集約手段では、複数の子機のカメラで撮影することによって得られる撮影画像を集約して電子メールを作成し、送信手段によって予め定めたアドレスに送信する。すなわち、子機のカメラで撮影されることによって得られる撮影画像を外出先でコンピュータ等で確認することができ、監視カメラ機能として子機のカメラを使用することができる。従って、固定電話機にカメラを設けて、気軽に監視カメラとして使用することができる。
【００１４】
なお、複数の子機は、請求項３に記載の発明のように、各子機をそれぞれ識別するための識別情報を撮影画像に付加する付加手段を備えるようにしてもよい。例えば、付加手段は、予め定めた子機毎の番号や名前等を撮影画像のファイル名等に付加する。これによって、撮影画像がどの子機のカメラで撮影したものかを判断することができる。
【発明の効果】
【００１５】
以上説明したように本発明によれば、固定電話機にカメラを設けて、気軽に監視カメラとして使用することができる、という効果がある。
【発明を実施するための最良の形態】
【００１６】
以下、図面を参照して本発明の実施の形態の一例を詳細に説明する。
【００１７】
図１は、本発明の実施の形態に係わる監視カメラ機能付き固定電話機を示す図である。
【００１８】
図１に示すように、監視カメラ機能付き固定電話機１０は、親機１２と複数の子機１４で構成されており、親機１２と子機１４とは、無線接続されている。すなわち、親機１２に接続された電話回線を通じて子機１４で通話を行うことが可能とされている。なお、親機１２と子機１４は、Bluetooth等の通信手段を併用して無線接続するようにしてもよい。
【００１９】
親機１２には、留守番電話機能が設けられている。すなわち、留守番電話モードに設定すると、留守番メッセージ再生及び録音を行うことが可能とされている。なお、親機１２は、ファクシミリ機能等のその他の機能を備えるようにしてもよい。
【００２０】
また、親機１２には、テンキー１８Ａを含む操作装置及び液晶表示装置等の表示装置１８Ｂが設けられていると共に、インターネット接続可能とされ、電子メールの送受信も可能とされている。なお、操作装置及び表示装置は、例えば、液晶パネルにタッチパネルを設けたものを適用するようにしてもよい。
【００２１】
一方、複数の子機１４には、カメラ１６が設けられており、カメラ１６による撮影が可能とされている。当該カメラ１６は、親機１２の指示によって撮影が行われるようになっており、親機１２からの指示をトリガとして静止画撮影を行うようになっている。すなわち、子機１４を監視すべき部屋等に設置しておけば、親機１２の指示によって静止画撮影を行うことができ、簡易な監視カメラとして使用することができる。なお、本実施の形態では、静止画撮影を行うものとして説明するが、動画撮影を行うようにしてもよい。この場合には、親機１２からの指示によって動画撮影開始や停止を行うことが可能となる。
【００２２】
また、親機１２が行う子機１４のカメラ１６への撮影指示は、電話回線を介して外部から行うことが可能とされている。なお、子機１４のカメラ１６による撮影方法（監視カメラ機能）の詳細は後述する。
【００２３】
図２は、本発明の実施の形態に係わる監視カメラ機能付き固定電話機１０の構成を示すブロック図である。なお、図２では、複数の子機１４は同一構成であるため、１つの子機１４を代表として示す。
【００２４】
子機１４は、上述したように、カメラ１６を備えており、静止画撮影が可能とされている。カメラ１６による撮影制御は、子機制御部２０によって行われるが、カメラ１６による撮影は、親機１２からの撮影指示によって行うようになっている。
【００２５】
また、子機１４は、内線通信手段２２を備え、親機１２との通信を内線通信手段２２が行うようになっている。内線通信手段２２は、例えば、種々の無線通信を適用することができる。また、Bluetooth等のような通信手段を併用するようにしてもよい。すなわち、音声通信を一般的な無線通信で行い、カメラ１６によって撮影した撮影画像の親機１２への転送等をBluetooth等で行うようにしてもよい。
【００２６】
図２では、省略するが、子機１４には、図１に示すように、電話番号等を入力するためのテンキー２４Ａやテンキー２４Ａによって入力された電話番号等を表示する表示装置２４Ｂを含んで構成されており、テンキー２４Ａや表示装置２４Ｂは、子機制御部２０によって制御されるようになっている。
【００２７】
親機１２は、子機１４と同様に、内線通信手段２６を備えており、子機１４との通信を内線通信手段２６で行うようになっている。すなわち、音声通信を行うと共に、子機１４のカメラ１６によって撮影された撮影画像の転送等のデータ通信を行うようになっている。内線通信手段２６は、子機１４の内線通信手段２２と同様に、種々の無線通信を適用することができる。また、上述した子機と同様に、Bluetooth等のような通信手段を併用するようにしてもよい。
【００２８】
また、親機１２は、留守番電話機能を実行するための音声メモリ２８を備えており、留守番電話機能は、制御部３０の制御によって行われる。すなわち、音声メモリ２８には、応答メッセージや留守番メッセージ等が記憶されるようになっている。なお、留守番メッセージは小型カセットテープ等のその他の記録媒体に記録するようにしてもよい。
【００２９】
さらに、親機１２は、外線通信手段３２を備えており、外線通信手段３２を介して携帯電話網を含む電話網３４に交換機３４Ａを介して接続されている。これによって電話網を介して外線通話することができるようになっている。
【００３０】
また、親機１２は、電話網３４の交換機３４Ａを介して予め定められたアクセスポイントに接続可能とされ、当該アクセスポイントを介して予め契約されたプロバイダ３６経由でインターネット３８接続されており、メールの送受信等が可能とされている。
【００３１】
なお、外線通信手段３２は、電話回線の他に、ＡＤＳＬ（Asymmetric Digital Subscriber Line）や光ケーブル等の回線も併用するようにしてもよい。これによって、子機１４等の通話中に親機１２を使用してインターネット３８接続やメール送受信等も可能となる。
【００３２】
ここで、本発明の実施の形態に係わる監視カメラ機能付き固定電話機１０の監視カメラ機能について説明する。なお、本発明の実施の形態に係わる監視カメラ機能付き固定電話機１０の監視カメラ機能は、留守番電話モード時に機能するようになっている。
【００３３】
まず、ユーザは写真撮影を行い場合、出先から自宅へ電話網３４を介して監視カメラ機能付き固定電話１０に電話をかける。監視カメラ付き固定電話機１０は、留守番電話モード時に電話を着信すると、予め定めた応答メッセージ（例えば、「ただいま留守にしています。・・・」等の応答メッセージ）を流すと同時に、ユーザが暗証番号を入力するのを待ち受ける。ここで、暗証番号が入力されない場合には、通常の留守番電話機能が実行される。また、ユーザが予め定めた暗証番号を入力すると、監視カメラ付き固定電話機１０は、各種コマンドを待ち受け、ユーザがカメラ撮影を行うためのコマンドを入力すると、子機１４に設けられたカメラ１６での撮影を実行する。そして、撮影したことを表すメッセージ（例えば、「撮影しました。××××へ撮影画像を転送します。」等のメッセージ）を流し、ユーザが電話を切った後に、予め設定された電話番号にダイアルアップして、予め設定されたメールアドレスに撮影画像を送信する。
【００３４】
このように、各子機１４のカメラ１６による撮影を出先から行うことにより、複数の子機１４を監視したい部屋等に配置するだけで、監視カメラとして固定電話機１０を容易に適用することができる。
【００３５】
続いて、上述のように構成された監視カメラ付き固定電話機１０で行われる処理について説明する。
【００３６】
まず、親機１２側で行われる処理について図３のフローチャートを参照して説明する。図３は、本発明の実施の形態に係わる監視カメラ付き固定電話機１０の親機１２の制御部３０で行われる処理の流れを示すフローチャートである。
【００３７】
始めにステップ１００では、電話を着信したか否か判定され、該判定が肯定されるまで待機し、判定が肯定されたところでステップ１０２へ移行する。
【００３８】
ステップ１０２では、着信処理が行われる。着信処理は、例えば、親機１２の着信音を鳴らし、ランプ等を点灯すると共に子機１４に対して着信音を鳴らすように指示を行う。これによって、親機１２及び子機１４の電話の着信音が鳴らされる。
【００３９】
次に、ステップ１０４では、通話か否か判定される。すなわち、受話器を取って通話が行われたか否か判定され、該判定が肯定された場合には、ステップ１３０へ移行して通話処理が行われて一連の処理を終了する。すなわち、通常の電話通話が行われて通話が終了した時点で制御部３０の処理を終了する。
【００４０】
また、ステップ１０４の判定が否定、すなわち、受話器が取られない場合には、ステップ１０６へ移行して、予め定められた所定時間経過したか否か判定され、該判定が否定された場合には、ステップ１０４に戻って、受話器が取られてステップ１０４の判定が肯定されるか、所定時間が経過してステップ１０６の判定が肯定されるまで上述のステップ１０４及びステップ１０６の処理が繰り返される。
【００４１】
ステップ１０６の判定が肯定、すなわち、通話が行われずに所定時間経過した場合には、ステップ１０８へ移行して、留守番電話モードか否か判定される。該判定は、親機１２又は子機１４の操作パネルやテンキー等を操作して予め留守番電話モードに設定されているか否かを判定することによってなされ、該判定が否定された場合には、ステップ１３２へ移行して通常の着信処理（例えば、ステップ１０２と同様に、親機１２及び子機１４の着信音を鳴らす等）を行って制御部３０の処理を終了する。
【００４２】
また、ステップ１０８の判定が肯定された場合、すなわち、予め留守番電話モードに設定されている場合には、ステップ１１０へ移行して、留守番メッセージが再生される。すなわち、電話着信があってから所定時間通話がなされない場合には、一般的な留守番電話モードに移行する。例えば、音声メモリ２８に予め録音された応答メッセージを再生し、留守であることを表すメッセージを流し、ステップ１１２へ移行する。
【００４３】
ステップ１１２では、予め設定された暗証番号が入力されたか否か判定される。該判定が否定された場合には、ステップ１３４へ移行して、通常の留守番処理が行われて制御部３０の処理を終了する。すなわち、留守番メッセージに対するメッセージを録音して通話が切れたところで制御部３０の処理を終了する。
【００４４】
なお、ステップ１１２における暗証番号は、ユーザが予め適宜設定することができる。また、ステップ１１２は、留守番メッセージ再生中に行われ、留守番メッセージ再生が終了した時点で暗証番号の入力がなされない場合に、ステップ１３４へ移行する。
【００４５】
一方、ステップ１１２の判定が肯定、すなわち、暗証番号が入力された場合には、ステップ１１４へ移行して、カメラ撮影指示がなされたか否か判定される。該判定は、例えば、予め定められたカメラ撮影指示を表すコマンド（例えば、予め定められた数字等）が入力されたか否かを判定することによってなされ、該判定が否定された場合には、ステップ１３６へ移行してカメラ撮影以外の各種コマンド処理が行われて制御部３０の処理を終了する。すなわち、予め定められたコマンドが入力された場合には、対応する処理を行って制御部３０の処理を終了する。
【００４６】
ステップ１１４の判定が肯定された場合には、ステップ１１６へ移行して、予め定められたコマンドに応じて指定の子機１４に撮影指示を送信する。なお、撮影指示を表すコマンドは、複数の子機１４のうち撮影する子機を選択することができるコマンドとされており、単数又は複数の子機１４のカメラ１６による撮影をコマンドで指示することができるようにコマンドが予め設定されているものとする。
【００４７】
続いて、ステップ１１８では、まだ通話中か否か判定され、該判定が肯定された場合には、ステップ１２０へ移行して、撮影完了メッセージ（例えば、撮影しました。××××へ撮影画像を送信します等のメッセージ）を通知して通話を切断し、ステップ１２２へ移行し、ステップ１１８の判定が否定された場合、すなわち、既に電話が切られている場合には、そのままステップ１２２へ移行する。
【００４８】
ステップ１２２では、子機１４から撮影画像を受信して、ステップ１２４へ移行し、子機１４から全ての撮影画像を取得したか否か判定し、該判定が肯定されるまでステップ１２２及びステップ１２４の処理が繰り返され、判定が肯定されたところでステップ１２６へ移行する。
【００４９】
ステップ１２６では、子機１４より取得した撮影画像を集約してメールが作成される。すなわち、複数の子機１４によって撮影がなされた場合には、複数の子機１４からの撮影画像を集約して１つのメールを作成する。また、１つの子機１４によって撮影がなされた場合も同様に、撮影画像を添付した１つのメールを作成する。
【００５０】
次に、ステップ１２８では、予め定められたメールアドレスに撮影画像が送信される。すなわち、ステップ１２６で作成されたメールが予め定められたメールアドレス宛に送信され、制御部３０の一連の処理が終了する。なお、メールの送信は、例えば、外線通信手段３２及び交換機３４Ａを介して予め契約されたプロバイダ３６等の電話番号をダイヤルアップして、プロバイダ３６等を介してインターネット３８経由で送信することができる。
【００５１】
一方、各子機１４の子機制御部２０では、図４に示すフローチャートの処理が行われる。図４は、子機制御部２０で行われる処理の流れを示すフローチャートである。
【００５２】
子機制御部２０では、まずステップ２００で、着信処理指示が親機１２の制御部３０からなされたか否か判定される。該判定が肯定された場合には、ステップ２０２へ移行して、着信処理が行われてステップ２０４へ移行し、ステップ２００の判定が否定された場合には、そのままステップ２０４へ移行する。なお、ステップ２０２の着信処理は、親機１２の制御部３０からの着信処理指示を受けて、子機１４の着信音を鳴らすと共に、ランプ等を点灯して着信を報知する。
【００５３】
ステップ２０４では、撮影指示が親機１２の制御部３０からなされたか否か判定される。すなわち、ユーザの外出先から遠隔操作によってカメラ１６の撮影指示が行われたか否か判定される。該判定が否定された場合には、そのまま子機制御部２０の処理を終了して、着信処理指示の待ち状態になり、ステップ２０４の判定が肯定された場合には、ステップ２０６へ移行する。
【００５４】
ステップ２０６では、カメラ１６による撮影が行われて撮影画像が取得される。例えば、ＣＣＤ等の撮像素子をカメラ１６に適用して、撮影画像を表す撮影画像を取得し、ステップ２０８へ移行する。
【００５５】
ステップ２０８では、撮影画像が親機１２に転送され、一連の子機制御部２０の処理を終了し、着信処理指示待ち状態になる。すなわち、内線通信手段２２、２６を介して親機１２に撮影画像を表す撮影画像データが送信される。
【００５６】
このように、各子機１４では、通常の電話で行われる着信音やランプの点灯等の着信処理を行う。そして、本実施の形態に係わる監視カメラ付き固定電話機１０では、親機１２の撮影指示によって、子機１４のカメラ１６による撮影を行い静止画像を取得し、該取得の静止画像（撮影画像）を親機１２に転送する。これによって、親機１２は、各子機１４で撮影した撮影画像を取得することができ、上述した制御部３０の処理のように、子機１４で撮影した撮影画像を集約して、予め定めたメールアドレスに送信することができる。従って、ユーザは、各子機１４が配置された場所の現在の画像を得ることができ、子機１４に設けられたカメラ１６を簡易な監視カメラとして使用することができるようになる。
【００５７】
なお、各子機１４のカメラ１６によって撮影した撮影画像は、各子機１４に対応した識別番号等の識別情報が子機制御部２０によって撮影画像に付加されて、親機１２に転送されるようになっている。また、親機１２は、各子機１４のカメラ１６の撮影によって得られる撮影画像を集約する際に、識別情報が付加された状態で、メールを作成して送信する。このように、各子機１４を識別する識別情報を付加して子機１４と撮影画像を対応できるようにしておくことによって、複数の子機１４からの撮影画像を識別することができる。識別情報としては、例えば、子機１４毎に予め定めた番号や名前等を撮影画像のヘッダやファイル名等に付加するようにしてもよい。
【００５８】
なお、上記の実施の形態では、プロバイダ３６を利用してインターネット接続する例を挙げて説明したが、これに限るものではなく、例えば、Ｌモードゲートウエイをプロバイダ３６に適用して、加入者電話向け「Ｌモード 」(登録商標)サービス（以下Ｌモード と略す）に対応するＬモード機能付きの固定電話機に本発明を適用するようにしてもよい。また、プロバイダ３６の代わりにその他の各種ゲートウエイを適用するようにしてもよい。
【図面の簡単な説明】
【００５９】
【図１】本発明の実施の形態に係わる監視カメラ機能付き固定電話機を示す平面図である。
【図２】本発明の実施の形態に係わる監視カメラ機能付き固定電話機の構成を示すブロック図である。
【図３】親機の制御部で行われる処理の流れを示すフローチャートである。
【図４】子機の子機制御部で行われる処理の流れを示すフローチャートである。
【符号の説明】
【００６０】
１０    監視カメラ機能付き固定電話機
１２    親機
１４    子機
１６    カメラ
２０    子機制御部
２２、２６    内線通信手段
３０    制御部
３２    外線通信手段
３４    電話網
３４Ａ    交換機
３６    プロバイダ
３８    インターネット
【図１】
2005109793.tif 000003
【図２】
2005109793.tif 000004
【図３】
2005109793.tif 000005
【図４】
2005109793.tif 000006